(57)【要約】【課題】ＩＣカード化された運転免許証に記憶された生年月日から正確に年齢を判別し、ユーザの実際の年齢に好適な音声信号を出力する。【解決手段】本発明では、ナビゲーション装置１などに代表される音響装置において、制御部１０が運転免許証読み取り部１５を制御して運転免許証２からその保有者の生年月日を取得し、正確に年齢を判別する。そして、制御部１０は、取得した運転手の生年月日に基づいて、音声信号を出力するときの音域や音量などの伝達特性を決定する。そして、決定した音域や音量などの伝達特性に基づいて音声補正部１８を設定し、スピーカ１７にて音声を出力する。【選択図】図１
2011176448.tif 000002
【特許請求の範囲】
【請求項１】
ユーザの生年月日を少なくとも記憶しているＩＣカードから前記生年月日を取得する生年月日取得手段と、
前記生年月日に基づいて伝達特性を設定する伝達特性設定手段と、
前記伝達特性設定手段により設定された伝達特性に基づいて音声信号を出力する音声信号出力手段とを備えることを特徴とする音響装置。
【請求項２】
請求項１に記載の音響装置において、
前記伝達特性設定手段は、前記生年月日取得手段により取得された生年月日に基づいて前記音声信号の音域を決定することにより、前記伝達特性を設定することを特徴とする音響装置。
【請求項３】
請求項１または２に記載の音響装置において、
前記伝達特性設定手段は、前記生年月日取得手段により取得された生年月日に基づいて前記音声信号の音量を決定することにより、前記伝達特性を設定することを特徴とする音響装置。
【請求項４】
請求項１から３のいずれかに記載の音響装置において、
前記生年月日取得手段により取得された生年月日に基づいて、前記ユーザに対して行う音声案内の再生条件を設定する再生条件設定手段と、
前記再生条件設定手段により設定された前記音声案内の再生条件に基づいて、前記音声信号出力手段に前記音声案内の音声信号を出力させる音声案内再生手段とをさらに備えることを特徴とする音響装置。
【請求項５】
請求項４に記載の音響装置において、
前記再生条件設定手段は、前記生年月日取得手段により取得された生年月日に基づいて前記音声案内の繰り返し回数を決定することにより、前記音声案内の再生条件を設定し、
前記音声案内再生手段は、前記音声案内の繰り返し回数に基づいて、前記音声信号出力手段に前記音声案内の音声信号を繰り返し出力させることを特徴とする音響装置。
【請求項６】
請求項４または５に記載の音響装置において、
前記再生条件設定手段は、前記生年月日取得手段により取得された生年月日に基づいて前記音声案内の再生速度を決定することにより、前記音声案内の再生条件を設定し、
前記音声案内再生手段は、前記音声案内の再生速度に基づいて、前記音声信号出力手段に前記音声案内の音声信号を出力させることを特徴とする音響装置。
【請求項７】
請求項１から６のいずれかに記載の音響装置において、
前記生年月日取得手段により取得された生年月日に基づいて、再生する音声コンテンツを選択する音声コンテンツ選択手段をさらに備え、
前記音声信号出力手段は、前記伝達特性設定手段により設定された伝達特性に基づいて、前記音声コンテンツ選択手段により選択された音声コンテンツに基づいて前記音声信号を出力することを特徴とする音響装置。
【請求項８】
請求項１から７のいずれかに記載の音響装置において、
前記ＩＣカードは、運転免許証であることを特徴とする音響装置。
【発明の詳細な説明】
【技術分野】
【０００１】
本発明は、音響装置に関する。
【背景技術】
【０００２】
ユーザの顔の撮像画像に基づいてユーザの年齢を判別し、判別したユーザの年齢に基づいて音声信号を補正する音声補正装置が開示されている（特許文献１）。
【先行技術文献】
【特許文献】
【０００３】
【特許文献１】特開２００９−１７１１８９号公報
【発明の概要】
【発明が解決しようとする課題】
【０００４】
特許文献１の発明では、撮像画像という不確実な情報に基づいてユーザの年齢を判別しているため、ユーザの年齢を誤って判別してしまう可能性がある。そのため、ユーザの実際の年齢に対して不適合な音声信号を出力する場合があった。
【課題を解決するための手段】
【０００５】
本発明による音響装置は、ユーザの生年月日を少なくとも記憶しているＩＣカードから生年月日を取得する生年月日取得手段と、生年月日に基づいて伝達特性を設定する伝達特性設定手段と、伝達特性設定手段により設定された伝達特性に基づいて音声信号を出力する音声信号出力手段とを備えるものである。
【発明の効果】
【０００６】
本発明によれば、ＩＣカード化された運転免許証に記憶された生年月日から正確に年齢を判別し、ユーザの実際の年齢に好適な音声信号を出力することができる。
【図面の簡単な説明】
【０００７】
【図１】本発明の一実施形態による音響装置としてのナビゲーション装置の構成の一例を示す。
【図２】音響装置のユーザの生年月日に基づいて音域や音量などの伝達特性を設定する処理に関するフローチャートの一例である。
【図３】音響装置の音域や音量などの伝達特性を年齢層ごとに設定する方法を説明するための図である。
【発明を実施するための形態】
【０００８】
本発明の一実施形態による音響装置としてのナビゲーション装置の構成の一例を図１に示す。図１のナビゲーション装置１は、制御部１０、ＨＤＤ１１、表示モニタ１２、ジャイロセンサ１３、ＧＰＳ受信部１４、運転免許証読み取り部１５、入力部１６、スピーカ１７、および音声補正部１８を備える。
【０００９】
制御部１０は、ナビゲーション装置１を動作させるための様々な処理や制御を実行するための部分であり、マイクロプロセッサ、各種周辺回路、ＲＡＭ、ＲＯＭなどによって構成される。また、制御部１０は、スピーカ１７に音声を出力させるための音声信号を音声補正部１８へ出力する。
【００１０】
ＨＤＤ１１は、不揮発性の記憶媒体であり、地図データや、音声データ、画像データ、各種設定、登録内容などを含むデータが記憶されている。ＨＤＤ１１に記憶されているデータは、必要に応じて制御部１０の制御によりＨＤＤ１１から読み出され、制御部１０が実行する様々な処理や制御に利用される。
【００１１】
表示モニタ１２は、様々な画像や映像などを表示するための装置であり、液晶ディスプレイ等が用いられる。制御部１０の制御に基づいて、表示モニタ１２に地図や自車両の現在位置、アイコンなどを表示することにより、ナビゲーション装置１は経路誘導を行う。
【００１２】
ジャイロセンサ１３は、車両の向きの変化に応じた角速度を検出するためのセンサである。このジャイロセンサ１３により検出された角速度に基づいて、車両の向きが求められる。ＧＰＳ受信部１４は、ＧＰＳ衛星から送信されるＧＰＳ信号を受信して制御部１０へ出力する。ＧＰＳ信号には、車両の位置と現在時刻を求めるための情報として、そのＧＰＳ信号を送信したＧＰＳ衛星の位置と送信時刻が含まれている。したがって、制御部１０は、所定数以上のＧＰＳ衛星からＧＰＳ信号を受信することにより、これらの情報に基づいて車両の現在位置および現在時刻を算出することができる。
【００１３】
運転免許証読み取り部１５は、制御部１０の命令により、ＩＣカード化された運転免許証２（以降、単に運転免許証２と記載する）と無線通信を行い、運転免許証２に記憶された情報を取得できる。運転免許証２には、その保有者の氏名や、住所、生年月日、本籍、住所、免許証交付年月日、有効期間の末日、免許の種類、免許証番号、顔写真などの情報を記憶しておくことができる。運転免許証２から情報を取得する場合、予め記憶させた暗証番号を入力する必要がある。運転免許証の暗証番号は二つあり、本籍および顔写真の情報を取得するためには、二つの暗証番号の両方が必要となる。なお、運転免許証読み取り部１５は、ナビゲーション装置１の外部機器であってもよい。
【００１４】
入力部１６は、ナビゲーション装置１を動作させるためにユーザから入力される各種操作を検出するための装置で構成され、各種の入力スイッチ類を有している。ユーザは、入力部１６を操作することにより、たとえば、目的地に設定したい施設や地点の名称等を入力したり、予め登録された登録地の中から目的地を選択したり、表示モニタ１２に表示された地図を任意の方向にスクロールしたり、運転免許証２の内容を読み取るための認証を行うための暗証番号を入力することができる。入力部１６は、操作パネルやリモコンなどによって実現することができる。あるいは、入力部１６を表示モニタ１２と一体化されたタッチパネルとしてもよい。
【００１５】
スピーカ１７は、制御部１０より音声補正部１８を介して出力される音声信号に基づいて、車両の走行に関する様々な音声情報を出力する。たとえば、推奨経路に従って自車両を目的地まで案内するための経路案内用の音声や、各種の警告音、各種の音声コンテンツなどを出力する。
【００１６】
音声補正部１８は、制御部１０からスピーカ１７へ出力する音声信号の音域や音量を補正するためのものである。たとえば、複数のバンドパスフィルタやアンプなどによって構成される。バンドパスフィルタは、入力された音声信号に対して帯域制限を設けるものである。バンドパスフィルタは、それぞれ通過させる周波数帯域が定められており、所定の周波数帯域以外の信号を減衰させ、除去することができる。本実施の形態では、バンドパスフィルタを音声信号の音域を制限するために用いる。使用するバンドパスフィルタは、制御部１０が伝送経路を設定することにより選択される。アンプは、入力された信号を増幅するものであって、音声信号の増幅に用いる。
【００１７】
次に上記の構成を用いて、運転免許証２から読み取られたユーザの生年月日に基づいて、音域や音量などの伝達特性を設定する処理について図２を用いて説明する。図２の処理は、ナビゲーション装置１の制御部１０にて実行される。なお、図２では、運転免許証読み取り部１５に運転手の運転免許証２が挿入されているものとする。
【００１８】
図２のステップＳ２０１では、ナビゲーション装置１は運転免許証２の認証を行うために暗証番号の入力を受け付ける。制御部１０は、運転手に運転免許証２の認証を行うことを通知し、暗証番号の入力画面を表示モニタ１２に表示させ、運転手に入力部１６を介して暗証番号の入力を行わせる。運転手による入力が行われたらステップＳ２０２に進む。ステップＳ２０２では、制御部１０は、運転手により入力された番号が正しいかどうかを判定し、正しければステップＳ２０３に進む。入力された番号が間違っているときは、ステップＳ２０１に戻る。
【００１９】
ステップＳ２０１で入力する暗証番号は、生年月日を取得できるようにするための暗証番号でよい。なお、運転免許証２の暗証番号を３回連続して間違えると、運転免許証２は使用できなくなる。そのため、ステップＳ２０２では、ステップＳ２０１にて入力された暗証番号が間違っている場合は、所定の画面や音声によって注意喚起のための通知をすることが好ましい。
【００２０】
ステップＳ２０３では、制御部１０は、運転免許証読み取り部１５を介して運転免許証２からその保有者である運転手の生年月日を取得する。運転手の生年月日を取得したらステップＳ２０４に進む。
【００２１】
ステップＳ２０４では、制御部１０は、ステップＳ２０３において読み取られた運転手の生年月日に基づいて、出力する音声信号の音域を決定する。人間が音を感じることができる音域である可聴域は、加齢によって狭くなる傾向がある。特に高音域においては、聴力低下が顕著であることが知られている。本実施の形態では、出力する音声の音域を運転手の命令に応じて制限することにより、運転手にとって聞き取り難い音域の音を除去し、音質を向上させる。生年月日に基づいて出力する音声の音域を決定する方法は、たとえば、図３（ａ）のように年齢層ごとに音域の上限を予め決定し、ＨＤＤ１１に記憶しておき、この中で運転手の年齢に対応するものを運転手の生年月日に基づいて適宜読み出せばよい。図３（ａ）の例では、「１８〜２９歳」、「３０〜３９歳」、「４０〜４９歳」、「５０〜５９歳」、「６０〜６９歳」、「７０歳以降」という六つの年齢層に対して、音域の上限の周波数Ｆ１〜Ｆ６をそれぞれ定義している。そして、現在時刻と運転手の生年月日に基づいて年齢を算出し、その年齢に対応した年齢層の音域の上限をＨＤＤ１１に記憶された音域の上限の周波数Ｆ１〜Ｆ６の中から読み出し、それを出力する音声信号の音域の上限とする。出力する音声信号の音域を決定したらステップＳ２０５に進む。
【００２２】
ステップＳ２０５では、制御部１０は、ステップＳ２０３において読み取られた運転手の生年月日に基づいて出力する音声の音量を決定する。人間は、加齢により全ての音域について聴力が低下する傾向がある。そこで、運転手の年齢に応じて音量を大きくすることにより、加齢を原因とする聴力低下に対応する。たとえば、図３（ｂ）のように年齢層ごとに音量を予め決定し、ＨＤＤ１１にその設定値を予め記憶しておく。図３（ｂ）の例では、「１８〜２９歳」、「３０〜３９歳」、「４０〜４９歳」、「５０〜５９歳」、「６０〜６９歳」、「７０歳以降」という六つの年齢層に対して、音量の設定値Ｖ１〜Ｖ６をそれぞれ定義している。そして、現在時刻と運転手の生年月日に基づいて年齢を算出し、その年齢に対応した年齢層の音量をＨＤＤ１１に記憶された音量の設定値Ｖ１〜Ｖ６の中から読み出し、それを出力する音声信号の音量とする。出力する音声信号の音量を決定したらステップＳ２０６に進む。
【００２３】
ステップＳ２０６では、制御部１０は、ステップＳ２０４およびＳ２０５で決定した音域および音量に基づいて音声補正部１８を設定する。たとえば、音域に関しては、ステップＳ２０４で設定された音域に対応したバンドパスフィルタを経由するように音声信号の伝送経路を設定する。また、音量に関しては、アンプの出力をステップＳ２０５で決定した音量になるように設定する。音域および音量の設定が終了したら図２の処理を終了する。図２の処理が終了した後にスピーカ１７を介して音声を出力するときは、音声補正部１８にて補正された音声信号に基づいて音声を出力する。
【００２４】
以上説明した実施形態によれば、次の作用効果を奏する。
【００２５】
本実施の形態の音響装置であるナビゲーション装置１は、運転免許証２から運転手の生年月日を取得し（図２のステップＳ２０３）、取得した生年月日に基づいて出力する音声の音域および音量などの伝達特性を決定する（図２のステップＳ２０４およびＳ２０５）。また、そのように決定した音域および音量になるように音声補正部１８を設定し（図２のステップＳ２０６）、スピーカ１７にて音声を出力する。このようにすることにより、制御部１０は、運転免許証２に記憶されている生年月日に基づいて運転手の正確な年齢を判別でき、音声信号に対して運転手の聴覚特性に好適な補正をすることができる。
【００２６】
以上の実施の形態は、以下のように変形して実施できる。
【００２７】
（１）図２の処理では、出力する音声の音域や音量を決定する目的のため、運転免許証２に記憶されている生年月日を利用した。しかし、運転免許証２に記憶されている生年月日に基づいて決定するものは、音域や音量だけに限らない。たとえば、ナビゲーション装置１などの音響装置が行う音声案内を繰り返す回数や、その音声案内の再生速度などの再生条件を生年月日に基づいて設定してもよい。音声案内の繰り返し回数や再生速度を生年月日に基づいて決定し、再生条件を設定することによって、ナビゲーション装置１を利用している運転手など、音響装置のユーザが高齢であるときに音声案内を聞き落とす可能性を減らすことができる。特に音響装置がナビゲーション装置１の場合においては、進行方向指示などの音声案内を確実に行うことができる。さらに、前述した音声信号の音域および音量の決定と組み合わせることにより、ユーザが高齢な場合であっても音声案内を確実に聞かせることができる。
【００２８】
（２）また、運転免許証２に記憶されている生年月日に基づいて、再生する音声コンテンツを選択してもよい。たとえば、音域や音量と同様に年齢層ごとに楽曲の種類などを定め、ＨＤＤ１１に記憶しておく。そして、音声コンテンツのファイルをクラシック、ロック、演歌などの楽曲の種類に関する情報を付加した状態でＨＤＤ１１に記憶しておく。このとき、運転手の生年月日に対応した年齢層と合致した楽曲の種類をＨＤＤ１１から読み出し、それに対応した音声コンテンツのファイルだけを選択し、ＨＤＤ１１から再生するようにしてもよい。音声コンテンツのファイルを記憶する装置は、ＨＤＤ１１だけでなく外部のサーバなどでもよい。また、記憶された音声コンテンツだけではなく、ラジオ放送などにも適用してもよい。
【００２９】
（３）図２の処理では、取得した生年月日に基づいて音域および音量の両方を決定したが、音域と音量のいずれか一方のみを決定するようにしてもよい。
【００３０】
（４）以上で説明した各実施の形態や各種の変形例では、運転手の情報を運転免許証２から取得した。しかし、運転手の情報を記憶しておく媒体は、運転免許証２でなくてもよい。たとえば、ナビゲーション装置１でのみ使用できる専用のＩＣカードであってもよい。このとき、そのＩＣカードは、運転免許証２と同様にカードの所有者の氏名や住所、生年月日などの個人情報を記憶できることが望ましい。
【００３１】
以上で説明した各実施の形態や各種の変形例はあくまで一例であり、発明の特徴が損なわれない限り、本発明はこれらの内容に限定されない。
【符号の説明】
【００３２】
１  ナビゲーション装置
２  ＩＣカード化された運転免許証
１０  制御部
１１  ＨＤＤ
１２  表示モニタ
１３  ジャイロセンサ
１４  ＧＰＳ受信部
１５  運転免許証読み取り部
１６  入力部
１７  スピーカ
１８  音声補正部
【図１】
2011176448.tif 000003
【図２】
2011176448.tif 000004
【図３】
2011176448.tif 000005